(57)【特許請求の範囲】
【請求項１】
床に単独で載置される置き浴槽を備え、置き浴槽はユニットバスルームの壁に対向する浴槽壁部の内側に湯水噴出部を有するとともに外側に給水給湯接続部を有し、給水給湯接続部はユニットバスルームの床又は壁の開口部から導入された給水給湯管に接続配管を介して接続され、給水給湯接続部の両側には置き浴槽側面とユニットバスルームの壁とを連結して置き浴槽を固定するための固定金具及びこの固定金具を覆うカバーがそれぞれ設けられていることを特徴とするユニットバスルーム。
【請求項２】
固定金具が、置き浴槽側面に固定された第１の固定金具と、ユニットバスルームの壁に固定された第２の固定金具に分割され、第１の固定金具と第２の固定金具はカバーにより連結されることを特徴とする請求項１に記載のユニットバスルーム。
【請求項３】
固定金具が、置き浴槽側面に固定された第１の固定金具と、ユニットバスルームの壁に固定された第２の固定金具と、第１の固定金具と第２の固定金具を連結する連結具よりなることを特徴とする請求項１に記載のユニットバスルーム。
【請求項４】
カバーの上部に着脱自在な上蓋が取り付けられていることを特徴とする請求項１から３のいずれかに記載のユニットバスルーム。
【発明の詳細な説明】
【技術分野】
【０００１】
本願発明は、床に浴槽を単独で載置する、いわゆる置き浴槽を備えたユニットバスルームに関するものである。
【背景技術】
【０００２】
従来、この種の置き浴槽は、図１１に示すように置き浴槽８１をユニットバスルームの床８２に単に載置するだけで入浴が可能となることから、簡易な入浴設備として利用されてきた。このような置き浴槽８１を備えたユニットバスルームでは、壁８３に取り付けられた水栓から給水、給湯を行ったり、あるいは置き浴槽８１を壁８３に押し当てて、床８２又は壁８３から給水給湯管を立ち上げて、浴槽壁部８４の外側に設けた給水給湯接続部に接続配管を介して接続し、湯水噴出部８５から給水、給湯を行うものが一般的であった。このように従来の置き浴槽８１はユニットバスルームの壁８３にきわめて近い位置や壁８３に押し当てられた位置に配置され、給水、給湯のための配管などは利用者から見えないようになっていた。
【発明の開示】
【発明が解決しようとする課題】
【０００３】
しかしながら、前記従来の置き浴槽８１を備えたユニットバスルームでは、床８２に単に置き浴槽８１を単独で載置するだけの不安定な状態であったため、安全面での課題を有していた。
【０００４】
また、置き浴槽８１は常に壁８３にきわめて近い位置や壁８３に押し当てられた位置にしか配置できないため見た目が変わり映えのしないものとなっており、デザイン性の向上が望まれていた。
【０００５】
そこで、本願発明は、以上のとおりの事情に鑑みてなされたもので、安全性が高く、デザイン性の向上を図ることができる置き浴槽を備えたユニットバスルームを提供することを課題とする。
【課題を解決するための手段】
【０００６】
本願発明のユニットバスルームは、第１には、床に単独で載置される置き浴槽を備え、置き浴槽はユニットバスルームの壁に対向する浴槽壁部の内側に湯水噴出部を有するとともに外側に給水給湯接続部を有し、給水給湯接続部はユニットバスルームの床又は壁の開口部から導入された給水給湯管に接続配管を介して接続され、給水給湯接続部の両側には置き浴槽側面とユニットバスルームの壁とを連結して置き浴槽を固定するための固定金具及びこの固定金具を覆うカバーがそれぞれ設けられていることを特徴とする。
【０００７】
また、第２には、上記第１の発明において、固定金具が、置き浴槽側面に固定された第１の固定金具と、ユニットバスルームの壁に固定された第２の固定金具に分割され、第１の固定金具と第２の固定金具はカバーにより連結されることを特徴とする。
【０００８】
また、第３には、上記第１の発明において、固定金具が、置き浴槽側面に固定された第１の固定金具と、ユニットバスルームの壁に固定された第２の固定金具と、第１の固定金具と第２の固定金具を連結する連結具よりなることを特徴とする。
【０００９】
さらに、第４には、上記第１から第３のいずれかの発明において、カバーの上部に着脱自在な上蓋が取り付けられていることを特徴とする。
【発明の効果】
【００１０】
本願請求項１の発明によれば、置き浴槽の給水給湯接続部の両側に、置き浴槽側面とバスルームの壁とを連結して置き浴槽を固定するための固定金具とこの固定金具を覆うカバーを設けたので、安全性の向上とともにデザイン性の向上を図ることができる。
【００１１】
本願請求項２の発明によれば、固定金具を置き浴槽側面側の第１の固定金具とユニットバスルームの壁側の第２の固定金具の２つに分割し、これらの固定金具をカバーにより連結したので、上記効果に加え、施工性が良好となる利点がある。
【００１２】
本願請求項３の発明によれば、固定金具を、置き浴槽側面に固定された第１の固定金具と、ユニットバスルームの壁に固定された第２の固定金具と、第１の固定金具と第２の固定金具を連結する連結具により構成したので、連結具の大きさを調整することにより、ユニットバスルームの壁と置き浴槽との間隔を任意に設定できる上、施工性がより一層良好となる利点がある。
【００１３】
本願請求項４の発明によれば、カバーの上部に着脱自在な上蓋を設けたので、上記効果に加え、さらにデザイン性が向上するとともに、上蓋の上面又はカバーで隠蔽された床面やその近辺が汚れたときの掃除が容易かつ確実にできる利点がある。
【発明を実施するための最良の形態】
【００１４】
本願発明は上記のとおりの特徴をもつものであるが、以下にその実施の形態について説明する。
【００１５】
＜第１実施形態＞
先ず、本願発明の第１実施形態について述べる。
図１は、本願発明の第１実施形態に係る置き浴槽を備えたユニットバスルームの要部の外観を模式的に示す斜視図、図２は、同上実施形態のユニットバスルームの要部を示す断面図である。また、図３は、同上実施形態のユニットバスルームにおいて置き浴槽とユニットバスルームの壁との間に設けられた固定金具、カバー及び上蓋よりなる連結構造体を説明するための分解斜視図、図４は、連結構造体の上側の構造を説明するための断面図である。
【００１６】
本実施形態に係るユニットバスルーム１Ａは床２、壁３、図示しない天井及びドアより構成され、床２には置き浴槽４が載置されている。床２は床パン構造となっており、洗い場用床パン５と浴槽載置用床パン６が連結されている。浴槽載置用床パン６には置き浴槽４を位置決めし且つ嵌合固定するための固定用段部７が形成されている。また、置き浴槽４の浴槽壁部８の外側の下方の周囲には、固定用段部７に対して相補形状の段部９が形成され、段部９が固定用段部７とパッキン１０を介して嵌合固定されている。
【００１７】
置き浴槽４の壁３に近い方の浴槽壁部８の内側には湯水噴出部１１が設けられ、外側には給水給湯接続部１２が設けられている。給水給湯接続部１２は、床２から立ち上げられた、給湯装置（不図示）の給水給湯管１３に、銅管などよりなる接続配管１４を介して接続されている。給水給湯管１３及び接続配管１４は、置き浴槽４の浴槽壁部８と壁３との間に配置されている。
【００１８】
本実施形態では、置き浴槽４の壁３に近い方の浴槽壁部８と壁３との間に、連結構造体１５が設置されている。この連結構造体１５は、図３及び図４に示すように、置き浴槽４の浴槽壁部８において給水給湯接続部１２の両側にそれぞれ取り付けられる第１の固定金具１６と、壁３にそれぞれ取り付けられる第２の固定金具１７と、第１の固定金具１６及び第２の固定金具１７にそれぞれ取り付けられるカバー１８と、上蓋１９より構成される。第１の固定金具１６どうしの間の上側には断面Ｌ字状で所定長さの連結部材（浴槽側フランジ）２０が取り付け固定され、第２の固定金具１７どうしの間の上側にも断面Ｌ字状で所定長さの連結部材（壁側フランジ）２１が取り付け固定されている。
【００１９】
第１の固定金具１６は、置き浴槽４の浴槽壁部８の傾斜にならった傾斜をもつ長尺で四角形状の取付部２２と、鉛直方向に細長く延びる台形状の取付部２３よりなり、水平方向の断面形状はＬ字状であり、また取付部２３の下端の一部には床２と接する板状小片２４が一体に取り付けられている。取付部２２には壁部取付孔２５が形成され、取付部２３にはカバー取付孔２６が形成されている。
【００２０】
第２の固定金具１７は、壁３と接する長尺で四角形状の取付部２７と、鉛直方向に延びる長尺で四角形状の取付部２８よりなり、水平方向の断面形状はＬ字状であり、また取付部２８の下端の一部には床２と接する板状小片２９が一体に取り付けられている。取付部２７には壁取付孔３０が形成され、取付部２８にはカバー取付孔３１が形成されている。
【００２１】
カバー１８は、第１の固定金具１６の取付部２２の傾斜と同じ傾斜をもつ長尺で四角形状の横板状部３２と、第１の固定金具１６と第２の固定金具１７を覆い隠す正面板状部３３と、上板状部３４と、四角形状の取付片３５よりなる。取付片３５にはカバー取付孔３６が形成されている。
【００２２】
上蓋１９は、２つのカバー１８の間の上側から第１の固定金具１６と第２の固定金具１７を覆い隠す上蓋本体３７と、上蓋本体３７から垂下して取り付けられた細長い取付片３８と、取付片３８に取り付けられ、若干内側に入り込んだ断面略Ｌ字状の一対の着脱爪片３９よりなる。着脱爪片３９の幅（図４の紙面に垂直な方向）は着脱しやすい寸法に設定することができ、例えば上蓋１９の長さ方向の２箇所に取り付けることができるが、これに限定されない。着脱爪片３９は連結部材２０の水平板状部４０と連結部材２１の水平板状部４１の下面にそれぞれ着脱自在に係合するようになっている。
【００２３】
次に、本実施形態のユニットバスルーム１Ａの要部の施工について述べる。
【００２４】
ここでは、あらかじめ洗い場用床パン５と浴槽載置用床パン６が施工され、固定用段部７に置き浴槽４の段部９がパッキン１０を介して位置決めされた後、嵌合固定されて、置き浴槽４が設置されているものとする。また、給水給湯接続部１２と給水給湯管１３とが接続配管１４により接続されているものとする。
【００２５】
まず、第１の固定金具１６を、たとえばビス（不図示）を用いて壁部取付孔２５より、置き浴槽４の浴槽壁部８にビス止め固定する。この作業を給水給湯接続部１２の両側で行う。次に、第２の固定金具１７を、ビス（不図示）を用いて壁取付孔３０より、ユニットバスルーム１の壁３にビス止め固定する。この作業を２つの第１の固定金具１６の取付位置と対応する２箇所において行う。その後、カバー１８を第１の固定金具１６及び第２の固定金具１７にあてがい、第１の固定金具１６のカバー取付孔２６及びカバー１８の取付片部３５のカバー取付孔３６にビス（不図示）を挿通させ、また第２の固定金具１７のカバー取付孔３１及びカバー１８の取付片部３５のカバー取付孔３６にビス（不図示）を挿通させ、カバー１８をビス止め固定する。この作業を２箇所において行う。最後に、上蓋１９をカバー１８の上側から押込むことにより、上蓋１９に設けられた着脱爪片３９が連結部材２０、２１の水平板状部４０、４１の下面と係合し、上蓋１９が装着され、施工が完了する。
【００２６】
このように施工された本実施形態のユニットバスルーム１では、置き浴槽４の給水給湯接続部１２の両側に、第１の固定金具１６と第２の固定金具１７とこれらを連結するカバー１８を設けたので、置き浴槽４の固定を確実に行うことができ、安全性が向上する上、カバー１８及び上蓋１９を設けたことにより、給水給湯接続部１２、給水給湯管１３、接続配管１４を隠蔽できるためデザイン性が向上し、見映えのよいものとなる。
【００２７】
しかも、固定金具を第１の固定金具１６と第２の固定金具１７に分割し、上蓋１９も上側から押込むだけで装着できるので、施工を容易に行うことができる。
【００２８】
また、上蓋１９は着脱が容易に行えるので、上蓋１９の上面やカバー１８で隠蔽された床面やその近辺が汚れたときの掃除が容易かつ確実にできる。
【００２９】
また、上記実施形態では、カバー１８の寸法を壁３と置き浴槽４との距離に応じて設定することにより、置き浴槽４の配置位置が任意に設定可能となる。
【００３０】
さらに、上記実施形態では、置き浴槽４を、浴槽壁部８の外側に形成した段部９と固定用段部７とをパッキン１０を介して嵌合固定させるようにして設置したので、置き浴槽４の固定をより確実に行うことができる上、止水性の向上を図ることができる。
【００３１】
また、上記第１実施形態は種々の変形、変更が可能である。例えば、上記第１実施形態では、床２を固定用段部７を設けた床パン構造としたが、本願発明は、固定用段部７のない床構造のものにも適用可能である。
【００３２】
また、上記第１実施形態では、第１の固定金具１６と置き浴槽４の浴槽壁部８との固定、第２の固定金具１７と壁３との固定、第１の固定金具１６及び第２の固定金具１７とカバー１８との固定にビスを用いたが、本願発明によれば、これらの固定が可能な従来公知の各種固定具を使用することができる。
【００３３】
また、上記第１実施形態では、上蓋１９の取付に着脱爪片３９を用いたが、本願発明によれば、嵌合などの着脱可能な従来公知の各種手法を用いることができる。
【００３４】
さらに、本願発明によれば、上記第１実施形態における施工の手順を上記の場合と異ならせて行うこともできる。
【００３５】
＜第２実施形態＞
次に、本願発明の第２実施形態について述べる。
図５は、本願発明の第２実施形態に係る置き浴槽を備えたユニットバスルームの要部の外観を模式的に示す斜視図（便宜上、連結構造体のカバーと上蓋は外して示してある）、図６は、第２の固定金具に連結板が仮締めされる様子を示す斜視図、図７は、連結板が仮締めされた第２の固定金具がユニットバスルームの壁に取り付けられる様子を示す斜視図、図８は、第１の固定金具が置き浴槽の浴槽壁部に取り付けられる様子を示す斜視図、図９は、置き浴槽に取り付けた第１の固定金具を連結板を介在させて第２の固定金具に連結する様子を示す斜視図、図１０（ａ）、（ｂ）、（ｃ）は、それぞれ、連結部材（浴槽側フランジ及び壁側フランジ）を取り付ける様子、カバーを取り付ける様子、上蓋を取り付ける様子を示す斜視図である。
【００３６】
本実施形態に係るユニットバスルーム１Ｂが第１実施形態に係るユニットバスルーム１Ａと異なる点は、連結構造体４５であり、それ以外の構造は第１実施形態と同様であるので、以下この連結構造体４５を中心に説明を行う。
【００３７】
本実施形態においても、置き浴槽４の壁３に近い方の浴槽壁部８と壁３との間に、連結構造体４５が設置されている。この連結構造体４５は、図５から図１０に示すように、置き浴槽４の浴槽壁部８において給水給湯接続部１２（図２参照）の両側にそれぞれ取り付けられる第１の固定金具４６と、壁３にそれぞれ取り付けられる第２の固定金具４７と、第１の固定金具４６と第２の固定金具４７とをそれぞれ連結する連結板４８と、これらの組み合わせ構造の両側にそれぞれ取り付けられるカバー４９と、上蓋５０より構成される。第１の固定金具４６どうしの間の上側には断面Ｌ字状で所定長さの連結部材（浴槽側フランジ）５１が取り付け固定され、第２の固定金具４７どうしの間の上側にも断面Ｌ字状で所定長さの連結部材（壁側フランジ）５２が取り付け固定されている。
【００３８】
第１の固定金具４６は、第１実施形態と同様に、置き浴槽４の浴槽壁部８の傾斜にならった傾斜をもつ長尺で四角形状の取付部５３と、鉛直方向に細長く延びる台形状の取付部５４よりなり、水平方向の断面形状はＬ字状となっている。第１の固定金具４６の浴槽壁部８と当接する側にはシールパッキン５５が貼着されている。取付部５３の上下には壁部取付孔５６が形成され、取付部５４の上下（やや中央寄り）には連結板取付孔５７が形成され、上側の連結板取付孔５７の上方には連結部材取付孔５８が形成されている。
【００３９】
第２の固定金具４７は、壁３と接する長尺で四角形状の取付部５９と、鉛直方向に延びる長尺で四角形状の取付部６０よりなり、水平方向の断面形状はＬ字状となっている。第２の固定金具４７の壁３と当接する側にはシールパッキン６１が貼着されている。取付部５９の上下には壁取付孔６２が形成され、取付部６０の上下（やや中央寄り）には連結板取付孔６３が形成され、上側の連結板取付孔６３の上方には連結部材取付孔６４が形成されている。
【００４０】
連結板４８は矩形状であり、中央にカバー取付孔６５を有し、両端側には第１の固定金具４６と第２の固定金具４７への取り付けのための金具取付孔６６が形成されている。連結板４８は、第１の固定金具４６と第２の固定金具４７の上下２箇所に取り付けられるようになっている。
【００４１】
カバー４９は、第１の固定金具４６の取付部５３の傾斜と同じ傾斜をもつ長尺で四角形状の横板状部６７Ａと、長尺で鉛直方向に伸びる四角形状の横板状部６７Ｂと、第１の固定金具４６、第２の固定金具４７及び連結板４８を覆い隠す正面板状部６８と、下板状部６９と、上板状部７０と、上板状部７０より上方に突出した上蓋取付部７１よりなり、それぞれ対向する側には、正面から見ると細長い四角形状の固定用凸部７２が形成され、その上下に連結板取付ねじ７３が取り付けられている。
【００４２】
連結部材５１、５２の両側にはそれぞれ固定用孔７４、７５が形成されている。
【００４３】
上蓋５０は、２つのカバー４９の間の上側から第１の固定金具４６、第２の固定金具４７及び連結板４８を覆い隠す細長い四角形状の上蓋本体７６と、その両側に垂下して一体に設けられた取付片７７よりなり、この取付片７７が図１０（ｃ）に示すようにカバー４９の上蓋取付部７１と着脱自在に嵌合固定されるようになっている。
【００４４】
次に、本実施形態のユニットバスルーム１Ｂの要部の施工について述べる。
【００４５】
本実施形態では、第１実施形態の場合と同様、あらかじめ洗い場用床パン５と浴槽載置用床パン６が施工され、固定用段部７に置き浴槽４の段部９がパッキン１０を介して位置決めされた後、嵌合固定されて、置き浴槽４が設置されているものとする。また、給水給湯接続部１２と給水給湯管１３とが接続配管１４により接続されているものとする。
【００４６】
まず、第２の固定金具４７の連結板取付孔６３と連結板４８の金具取付孔６６の位置合わせを行い、第２の固定金具４７に連結板４８をビス等の固定具で仮締めする（図６）。この仮締めは図７に示すよう上下２箇所でそれぞれの第２の固定金具４７に対して行う。次に、連結板４８を仮締めした第２の固定金具４７を、ビス等の固定具を用いて壁部取付孔６２より壁３に固定する。このとき、図７に示すように、必要に応じてシーリング材を用いてもよい。次に、第１の固定金具４６を、壁部取付孔５６よりビス等の固定具を挿通させることにより、置き浴槽４の浴槽壁部８に固定する（図８）。この作業を給水給湯接続部１２の両側で行う。
【００４７】
次に、置き浴槽４の浴槽壁部８に取り付けた第１の固定金具４６の連結板取付孔５７と、第２の固定金具４７に仮締めされた連結板４８の金具取付孔６６の位置合わせを行い、ビス等の固定具で、第１の固定金具４６と連結板４８をそれぞれ固定する（図９）。これにより、第１の固定金具４６と第２の固定金具４７は連結板４８を介して連結固定され、置き浴槽４と壁３が固定されることになる。
【００４８】
次に、連結部材５１を、第１の固定金具４６、第２の固定金具４７及び連結板４８よりなる一対の組み合わせ構造の上側に架け渡し、連結部材５１の固定用孔７４と第１の固定金具４６の連結部材取付孔５８の位置合わせを行い、ビス等の固定具により固定する。同様にして連結部材５２の固定を行う（図１０（ａ））。連結部材５１、５２の固定後、連結板４８のカバー取付孔６５にカバー４９の連結板取付ねじ７３を挿通させ、蝶ねじ等の固定具で固定する（図１０（ｂ））。この作業を２箇所において行う。最後に、上蓋５０を上側から図１０（ｃ）のように嵌め込むことにより、上蓋５０が装着され、施工が完了する。
【００４９】
このように施工された本実施形態のユニットバスルーム１Ｂにおいても、置き浴槽４の給水給湯接続部１２の両側に、第１の固定金具４６と第２の固定金具４７と連結板４８よりなる一対の組み立て構造の両側にカバー４９を設けるとともに、上蓋５０を装着したので、置き浴槽４の固定を確実に行うことができる上、給水給湯接続部１２、給水給湯管１３、接続配管１４を隠蔽できるためデザイン性が向上し、見映えのよいものとなる。
【００５０】
しかも、固定金具を第１の固定金具４６と第２の固定金具４７とを連結板４８を介して固定し、上蓋５０も上側から押込むだけで装着できるので、施工を容易に行うことができる。
【００５１】
また、上記第２実施形態では、第１実施形態の利点に加え、連結板４８を用いて第１の固定金具４６と第２の固定金具４７を固定するようにしているので、連結板４８の寸法を調整することにより、置き浴槽４の配置位置の設定をより容易に行うことが可能となる。
【００５２】
また、本願発明によれば、上記第２実施形態において、施工の手順を異ならせて行う、連結板４８の形状と異なる連結具を用いるなど、第１実施形態と同様に種々の変形、変更が可能であることはいうまでもない。
【図面の簡単な説明】
【００５３】
【図１】本願発明の第１実施形態に係る置き浴槽を備えたユニットバスルームの要部の外観を模式的に示す斜視図である。
【図２】同上実施形態のユニットバスルームの要部を示す断面図である。
【図３】同上実施形態のユニットバスルームにおいて置き浴槽とユニットバスルームの壁との間に設けられた固定金具、カバー及び上蓋よりなる連結構造体を説明するための分解斜視図である。
【図４】連結構造体の上側の構造を説明するための断面図である。
【図５】本願発明の第２実施形態に係る置き浴槽を備えたユニットバスルームの要部の外観を模式的に示す斜視図である。
【図６】第２の固定金具に連結板が仮締めされる様子を示す斜視図である。
【図７】連結板が仮締めされた第２の固定金具がユニットバスルームの壁に取り付けられる様子を示す斜視図である。
【図８】第１の固定金具が置き浴槽の浴槽壁部に取り付けられる様子を示す斜視図である。
【図９】置き浴槽に取り付けた第１の固定金具を連結板を介在させて第２の固定金具に連結する様子を示す斜視図である。
【図１０】（ａ）、（ｂ）、（ｃ）は、それぞれ、連結部材を取り付ける様子、カバーを取り付ける様子、上蓋を取り付ける様子を示す斜視図である。
【図１１】従来の置き浴槽を備えたユニットバスルームを示す斜視図である。
【符号の説明】
【００５４】
１Ａ、１Ｂ    ユニットバスルーム
２    床
３    壁
４    置き浴槽
８    浴槽壁部
１１    湯水噴出部
１２    給水給湯接続部
１３    給水給湯管
１４    接続配管
１５、４５    連結構造体
１６、４６    第１の固定金具
１７、４７    第２の固定金具
１８、４９    カバー
１９、５０    上蓋
２０、２１、５１、５２    連結部材
３９    着脱爪片
４８    連結板
７１    上蓋取付部
７７    取付片
【図１】
0004640229.tif 000002
【図２】
0004640229.tif 000003
【図３】
0004640229.tif 000004
【図４】
0004640229.tif 000005
【図５】
0004640229.tif 000006
【図６】
0004640229.tif 000007
【図７】
0004640229.tif 000008
【図８】
0004640229.tif 000009
【図９】
0004640229.tif 000010
【図１０】
0004640229.tif 000011
【図１１】
0004640229.tif 000012